(57)【要約】【課題】  小型化可能な電子機器を提供する。【解決手段】  一つの実施の形態に係る電子機器は、第１の部分と、第２の部分と、ヒンジ部と、ディスプレイと、タッチパネルと、第２の基板と、第３の基板と、配線部と、を備える。前記第２の部分は、第１の端部と、第２の端部と、筐体と、を有する。前記ディスプレイは、前記第２の部分の前記筐体に収容され、表示面を有する。前記タッチパネルは、前記ディスプレイの前記表示面を覆う。前記第２の基板は、少なくとも一部が前記ディスプレイと前記第２の部分の前記第１の端部との間にあり、前記ディスプレイに接続される。前記第３の基板は、少なくとも一部が前記ディスプレイと前記第２の部分の前記第２の端部との間にあり、前記タッチパネルに接続される。前記配線部は、前記第１の部分と前記第２の部分とに亘って設けられ、前記第２の基板に接続されるとともに、前記第３の基板に接続される。【選択図】    図６
2014206814.tif 000002
【特許請求の範囲】
【請求項１】
第１の基板を有する第１の部分と、
第１の端部と、前記第１の端部の反対側に位置する第２の端部と、開口部を有する筐体と、を有する第２の部分と、
前記第１の部分と、前記第２の部分の前記第１の端部と、を回動可能に連結するヒンジ部と、
前記第２の部分の前記筐体に収容され、前記開口部から露出されて画像を表示する表示面を有するディスプレイと、
前記ディスプレイの前記表示面を覆うタッチパネルと、
少なくとも一部が前記ディスプレイと前記第２の部分の前記第１の端部との間にあり、前記ディスプレイに接続された第２の基板と、
少なくとも一部が前記ディスプレイと前記第２の部分の前記第２の端部との間にあり、前記タッチパネルに接続された第３の基板と、
前記第１の部分と前記第２の部分とに亘って設けられ、前記第１の基板と前記第２の基板とを接続するとともに、前記第１の基板と前記第３の基板とを接続する配線部と、
を具備する電子機器。
【請求項２】
前記ディスプレイは、前記表示面の反対側に位置する背面を有し、
前記第１の基板と前記第３の基板とを接続する前記配線部の一部は、前記ディスプレイの前記背面の上を通る、請求項１に記載の電子機器。
【請求項３】
前記配線部は、前記第３の基板に接続されるとともに前記ディスプレイの前記背面の上を通るフレキシブルプリント配線板を有する、請求項２に記載の電子機器。
【請求項４】
前記第３の基板は第１のコネクタを有し、
前記配線部は、前記第１のコネクタに挿入される第１の接続部と、当該第１の接続部に設けられるとともに前記第１のコネクタに係止される係止部と、を有する、請求項１または３に記載の電子機器。
【請求項５】
前記配線部は、前記第１の基板に接続された第１の配線材と、前記第３の基板に接続されるとともに前記第２の部分の前記第１の端部と、前記ディスプレイ部と、の間で前記第１の配線材に接続される第２の配線材と、を有し、
前記第２の部分は、前記筐体に収容されるとともに前記第１の配線材と前記第２の配線材との接続部分を覆う絶縁部材を有する、請求項１または４に記載の電子機器。
【請求項６】
前記絶縁部材は、弾性を有するシート状に形成され、前記第１の配線材と前記第２の配線材との接続部分を覆うように曲げられるとともに、一方の端部が前記第２の部分の前記筐体に固定され、他方の端部が前記筐体の内面に弾性的に当接する、請求項５に記載の電子機器。
【請求項７】
前記第２の部分の前記筐体は、前記ディスプレイを収容し、前記開口部が設けられ、さらに前記第１の配線材と前記第２の配線材との接続部分を露出させる露出口が設けられたディスプレイカバーと、前記露出口と前記第１および第２の配線材の接続部分とを覆うカバー部材とを有する、請求項６に記載の電子機器。
【請求項８】
前記カバー部材は、前記ディスプレイカバーから突出し、
前記配線部は、前記第１の配線材が接続され、前記第２の配線材が挿入されるとともに前記カバー部材の突出方向に向く挿入口を有する、第２のコネクタを有する、請求項７に記載の電子機器。
【請求項９】
前記ディスプレイカバーは、前記開口部が設けられた表面を有し、
前記カバー部材は、前記ディスプレイカバーの前記表面から突出する、請求項８に記載の電子機器。
【請求項１０】
前記ディスプレイと前記第２の部分の前記第２の端部との間に位置し、前記第３の基板と並ぶ電子部品をさらに具備する請求項１または９に記載の電子機器。
【発明の詳細な説明】
【技術分野】
【０００１】
本発明の実施形態は、電子機器に関する。
【背景技術】
【０００２】
ポータブルコンピュータのような電子機器は、画像を表示するディスプレイや、その他種々の部品を有する。
【先行技術文献】
【特許文献】
【０００３】
【特許文献１】特開平６−３２９７５９号公報
【発明の概要】
【発明が解決しようとする課題】
【０００４】
電子機器は小型化することが望まれる。
【０００５】
本発明が解決しようとする課題の一つは、小型化可能な電子機器を提供することにある。
【課題を解決するための手段】
【０００６】
一つの実施の形態に係る電子機器は、第１の部分と、第２の部分と、ヒンジ部と、ディスプレイと、タッチパネルと、第２の基板と、第３の基板と、配線部と、を備える。前記第１の部分は、第１の基板を有する。前記第２の部分は、第１の端部と、前記第１の端部の反対側に位置する第２の端部と、開口部を有する筐体と、を有する。前記ヒンジ部は、前記第１の部分と、前記第２の部分の前記第１の端部と、を回動可能に連結する。前記ディスプレイは、前記第２の部分の前記筐体に収容され、前記開口部から露出されて画像を表示する表示面を有する。前記タッチパネルは、前記ディスプレイの前記表示面を覆う。前記第２の基板は、少なくとも一部が前記ディスプレイと前記第２の部分の前記第１の端部との間にあり、前記ディスプレイに接続される。前記第３の基板は、少なくとも一部が前記ディスプレイと前記第２の部分の前記第２の端部との間にあり、前記タッチパネルに接続される。前記配線部は、前記第１の部分と前記第２の部分とに亘って設けられ、前記第１の基板と前記第２の基板とを接続するとともに、前記第１の基板と前記第３の基板とを接続する。
【図面の簡単な説明】
【０００７】
【図１】一つの実施の形態に係るポータブルコンピュータを示す斜視図。
【図２】実施形態のヒンジ部を示す斜視図。
【図３】実施形態の本体部の内部を示す平面図。
【図４】実施形態のディスプレイ部を分解して示す斜視図。
【図５】実施形態のディスプレイ部の一部を示す断面図。
【図６】実施形態のディスプレイ部の内部を示す背面図。
【図７】実施形態のタッチパネルおよびフロントカバーを分解して示す斜視図。
【図８】実施形態のフロントカバーの一部を示す斜視図。
【図９】実施形態のディスプレイ部の一部を示す斜視図。
【図１０】実施形態のタッチパネル制御基板およびＦＰＣの一部を示す平面図。
【発明を実施するための形態】
【０００８】
以下に、一つの実施の形態について、図１から図１０を参照して説明する。なお、本明細書において、手前側（すなわちユーザ側）を前方、ユーザから見て遠い側を後方、ユーザから見て左側を左方、ユーザから見て右側を右方、ユーザから見て上側を上方、ユーザから見て下側を下方と定義する。さらに、複数の表現が可能な各要素に、一つ以上の他の表現の例を付すことがある。しかし、これは、他の表現が付されていない要素について異なる表現がされることを否定するものではないし、例示されていない他の表現がされることを制限するものでもない。また、各図面は実施形態を概略的に示すものであり、図面に示される各要素の寸法は、実施形態の説明と異なることがある。
【０００９】
図１は、一つの実施の形態に係るポータブルコンピュータ１を示す斜視図である。ポータブルコンピュータ１は、電子機器の一例である。なお、電子機器はこれに限らず、例えば、タブレット型デバイス、携帯電話、スマートフォン、または携帯ゲーム機のような、種々の機器であっても良い。
【００１０】
図１に示すように、ポータブルコンピュータ１は、本体部１０と、ディスプレイ部１１と、一対のヒンジ部１２，１３とを有している。本体部１０は、第１の部分の一例である。ディスプレイ部１１は、第２の部分の一例である。本体部１０と、ディスプレイ部１１とは、それぞれ矩形の板状に形成される。なお、本体部１０およびディスプレイ部１１の形状はこれに限らない。
【００１１】
図２は、一方のヒンジ部１２を示す斜視図である。なお、他方のヒンジ部１３の構造はヒンジ部１２の構造と同様であるので、その説明は省略される。図２に示すように、ヒンジ部１２は、ケーブルを挿通可能な、いわゆる中空ヒンジである。ヒンジ部１２は、第１の固定部１２ａと、第２の固定部１２ｂと、第１の筒部１２ｃと、第２の筒部１２ｄとを有している。
【００１２】
第１の筒部１２ｃと第２の筒部１２ｄとは、それぞれ円筒形状に形成されている。第２の筒部１２ｄの内径は、第１の筒部１２ｃの外径よりも僅かに大きい。第１の筒部１２ｃは、第２の筒部１２ｄの内側に回動可能に嵌合されている。
【００１３】
第１の固定部１２ａは、第１の筒部１２ｃと一体に形成されている。第２の固定部１２ｂは、第２の筒部１２ｄと一体に形成されている。このため、第２の固定部１２ｂは第１の固定部１２ａに対して、第１および第２の筒部１２ｃ，１２ｄの中心軸回りに回動可能である。
【００１４】
第１の固定部１２ａは、板状に形成され、例えばネジによって本体部１０の後端部１０ａに固定されている。第２の固定部１２ｂは、板状に形成され、例えばネジによってディスプレイ部１１の下端部１１ａに固定されている。
【００１５】
上記のように、一対のヒンジ部１２，１３は、本体部１０の後端部１０ａと、ディスプレイ部１１の下端部１１ａとを連結している。言い換えると、ヒンジ部１２，１３は、本体部１０とディスプレイ部１１とに亘って設けられる。ディスプレイ部１１の下端部１１ａは、第２の部分の第１の端部の一例である。
【００１６】
図１に示すように、ヒンジ部１２は本体部１０およびディスプレイ部１１の左側に位置し、ヒンジ部１３は本体部１０およびディスプレイ部１１の右側に位置する。ヒンジ部１２，１３によって、本体部１０とディスプレイ部１１とは、互いに回動可能である。
【００１７】
例えば、ディスプレイ部１１は、本体部１０に対して、第１の位置と第２の位置との間で回動する。前記第１の位置において、ディスプレイ部１１はその厚さ方向において本体部１０に重なる。前記第２の位置において、ディスプレイ部１１は、本体部１０の後端部１０ａから起立する。なお、図１は、第２の位置にあるディスプレイ部１１を示している。また、本明細書は、ディスプレイ部１１が前記第２の位置にあり、本体部１０が例えば机の載置面（天面）に置かれた場合について説明する。このため、ディスプレイ部１１が前記第１の位置にある場合、例えばディスプレイ部１１の下端部１１ａは、ディスプレイ部１１の最も下方に位置するとは限らない。
【００１８】
本体部１０は、ベース筐体１４と、タッチパッド１５と、キーボード１６とを有している。タッチパッド１５およびキーボード１６は、インターフェースまたは入力部とも称され得る。
【００１９】
タッチパッド１５およびキーボード１６は、本体部１０の上面１０ｂに設けられている。本体部１０の上面１０ｂは、ディスプレイ部１１が前記第１の位置にあるとき、ディスプレイ部１１によって覆い隠される。上面１０ｂの反対側に位置する本体部１０の下面には、例えば前記机の載置面に接する複数の脚が設けられている。
【００２０】
本体部１０の後端部１０ａに、一対の凸部１８と、凹部１９とが設けられている。凸部１８は、後端部１０ａから後方に向かって突出している。一対の凸部１８は、本体部１０の左端と、右端とにそれぞれ配置されている。ヒンジ部１２の第１の固定部１２ａは、凸部１８に配置されている。凹部１９は、一対の凸部１８の間に位置している。凹部１９は、一対の凸部１８によって規定されている。
【００２１】
図３は、本体部１０の下面を形成する部材（ボトムカバー）を除き、下方から本体部１０の内部を示す平面図である。図３に示すように、本体部１０は、マザーボード２１を有している。マザーボード２１は、第１の基板の一例であり、モジュールや部品とも称され得る。なお、第１の基板はこれに限らず、中継基板やグラフィックボードのような種々の基板であっても良い。
【００２２】
マザーボード２１は、ベース筐体１４に収容されている。マザーボード２１には、例えば、ＭＰＵ、ＳＳＤ、メモリ、コネクタ、コンデンサ、および冷却装置のような種々の部品が実装されている。
【００２３】
図４は、ディスプレイ部１１を分解して示す斜視図である。図４に示すように、ディスプレイ部１１は、ディスプレイ筺体２３と、液晶ディスプレイ（ＬＣＤ）２５と、タッチパネル２６とを有している。ディスプレイ筺体２３は、筐体の一例であり、外殻、壁、またはカバーのようにも称され得る。ＬＣＤ２５は、ディスプレイの一例であり、表示装置、モジュール、または部品のようにも称され得る。ディスプレイはＬＣＤ２５に限らず、例えば有機ＥＬディスプレイのような他の種類のディスプレイでも良い。
【００２４】
ディスプレイ筺体２３は、ディスプレイカバー２８と、ヒンジキャップ２９とを有している。ディスプレイカバー２８は、筐体、外殻、または壁のようにも称され得る。ヒンジキャップ２９は、カバー部材の一例であり、ヒンジカバー、筐体の一部、または突出部のようにも称され得る。
【００２５】
さらに、ディスプレイ部１１は、前述の下端部１１ａと、上端部１１ｂと、右端部１１ｃと、左端部１１ｄとを有している。上端部１１ｂは、第２の端部の一例であり、下端部１１ａの反対側に位置している。右端部１１ｃおよび左端部１１ｄは、下端部１１ａおよび上端部１１ｂと略直交する方向に延びる。左端部１１ｄは、右端部１１ｃの反対側に位置する。
【００２６】
図５は、ディスプレイ部１１の下端部１１ａ周辺部を示す断面図である。図５に示すように、ディスプレイカバー２８は、フロントカバー３１と、リアカバー３２と、開口部３３と、露出口３４とを有している。フロントカバー３１およびリアカバー３２は、外殻部、壁部、またはカバーのようにも称され得る。開口部３３および露出口３４は、孔または開口のようにも称され得る。
【００２７】
フロントカバー３１は、ディスプレイカバー２８の前面２８ａを形成する。前面２８ａは、ディスプレイカバーの表面の一例である。前面２８ａは、ディスプレイ部１１が前記第１の位置に位置する場合、本体部１０の上面１０ｂに対向して隠れる。フロントカバー３１が例えば爪およびネジによってリアカバー３２に連結されることで、ディスプレイカバー２８が形成される。
【００２８】
図４に示すように、開口部３３は、ディスプレイカバー２８の前面２８ａの略中央部に設けられている。開口部３３は、例えば略矩形の孔である。開口部３３は、ガラス板またはアクリル板のような透光性の部材によって塞がれていても良い。
【００２９】
露出口３４は、ディスプレイ部１１の下端部１１ａに設けられている。露出口３４は、ディスプレイカバー２８の前面２８ａに設けられた孔である。露出口３４は、ディスプレイ部１１の下端部１１ａに沿って、ディスプレイ部１１の幅方向（ディスプレイ部１１の右端部１１ｃから左端部１１ｄに向かう方向）に延びている。露出口３４は、開口部３３よりも小さい。
【００３０】
ヒンジキャップ２９は、ディスプレイ部１１の下端部１１ａに設けられる。ヒンジキャップ２９は、例えば、Ｕ字状の断面を有するカバーである。ヒンジキャップ２９は、ディスプレイカバー２８の前面２８ａから突出するように、ディスプレイカバー２８に取り付けられる。ヒンジキャップ２９は、露出口３４を覆うとともに、本体部１０の凹部１９に収容される。言い換えると、ヒンジキャップ２９は、本体部１０の一対の凸部１８の間に位置する。
【００３１】
ＬＣＤ２５は、矩形の板状に形成され、ディスプレイカバー２８に収容されている。図５に示すように、ＬＣＤ２５は、表示面３７と、背面３８とを有している。表示面３７の少なくとも一部は、開口部３３によって露出され、ＬＣＤ２５に入力された信号に基づいて画像を表示する。なお、本明細書において画像とは、動画および静止画を含む。背面３８は、表示面３７の反対側に位置している。背面３８は、絶縁性の材料によって形成されるが、導電性の材料によって形成されても良い。
【００３２】
図６は、リアカバー３２を除いてディスプレイ部１１の内部を示す背面図である。図６に示すように、ＬＣＤ２５にＬＣＤ制御基板３９が取り付けられている。ＬＣＤ制御基板３９は、第２の基板の一例である。ＬＣＤ制御基板３９は、矩形状に形成されたプリント回路板である。ＬＣＤ制御基板３９は、ＬＣＤ２５に接続され、ＬＣＤ２５を制御する。
【００３３】
ＬＣＤ制御基板３９の少なくとも一部は、ＬＣＤ２５と、ディスプレイ部１１の下端部１１ａとの間に位置している。なお、ＬＣＤ制御基板３９は、高さ方向（ディスプレイ部１１の下端部１１ａから上端部１１ｂに向かう方向）においてＬＣＤ２５とディスプレイ部１１の下端部１１ａとの間にあれば良い。すなわち、ＬＣＤ制御基板３９は、例えば厚さ方向（ＬＣＤ２５の表示面３７から背面３８に向かう方向）においてＬＣＤ２５とディスプレイ部１１の下端部１１ａとの間の領域から外れていても良い。
【００３４】
図７は、タッチパネル２６およびフロントカバー３１を分解して示す斜視図である。図７に示すように、タッチパネル２６は、矩形の板状に形成されている。タッチパネル２６は、静電気式のタッチパネルである。例えば、ユーザは、タッチパネル２６に指を接触させまたは近づけることで、ポータブルコンピュータ１を操作する。タッチパネル２６はこれに限らず、画面（タッチパネル２６）に接触または接近する物体を、電気、光、または圧力のような種々の要素によって感知し、これによってポータブルコンピュータ１を操作する装置であれば良い。
【００３５】
タッチパネル２６は、開口部３３を覆うように、フロントカバー３１に取り付けられている。タッチパネル２６は、ディスプレイカバー２８の前面２８ａに、例えば両面テープによって貼り付けられている。
【００３６】
タッチパネル２６は、透光部４１と、枠部４２と、走査線配線４３とを有している。透光部４１は、タッチパネル２６の略中央部に設けられ、開口部３３に対応した略矩形の領域である。透光部４１は透明であって、開口部３３を介してＬＣＤ２５の表示面３７を覆っている。ユーザは、透光部４１を通して表示面３７を視認可能である。なお、透光部４１は、表示面３７が視認可能な程度に薄く色がついていても良い。
【００３７】
枠部４２は、透光部４１を囲む枠状の領域である。枠部４２は、タッチパネル２６の裏面が着色された部分である。タッチパネル２６の当該裏面は、フロントカバー３１に貼り付けられた面である。ディスプレイカバー２８の前面２８ａの、開口部３３の周りの領域は、枠部４２によって覆い隠される。
【００３８】
走査線配線４３は、枠部４２に設けられている。図７に破線で示すように、走査線配線４３は、タッチパネル２６の前記裏面に形成された複数の配線パターンを含んでいる。走査線配線４３は、透光部４１を囲むとともに、透光部４１に設けられた走査線に接続されている。
【００３９】
タッチパネル２６に、タッチパネル制御基板４５が接続されている。タッチパネル制御基板４５は、第３の基板の一例である。タッチパネル制御基板４５は、矩形状に形成されたプリント回路板である。
【００４０】
タッチパネル制御基板４５は、可撓性の接続配線４８を有する。接続配線４８は、例えばフレキシブルプリント配線板（ＦＰＣ）である。接続配線４８は、走査線配線４３に接続されている。言い換えると、タッチパネル制御基板４５は、走査線配線４３に接続されている。接続配線４８は、透光部４１の右上方において、走査線配線４３に接続される。
【００４１】
走査線配線４３の幅は、走査線配線４３と接続配線４８との接続部分から離れるに従って細くなる。このため、透光部４１の上辺４１ａに沿う走査線配線４３の幅は、透光部４１の下辺４１ｂに沿う走査線配線４３の幅よりも太い。走査線配線４３の、透光部４１の左下方に位置する部分の幅は、走査線配線４３の他の部分の幅よりも狭い。
【００４２】
枠部４２に、標章部Ｍが設けられている。標章部Ｍは、タッチパネル２６の前記裏面に印刷された、例えばロゴタイプである。標章部Ｍが設けられている部分は着色されず、視認可能になっている。標章部Ｍは、透光部４１の左下方に配置されている。言い換えると、標章部Ｍは、走査線配線４３の幅が最も狭い部分に隣接している。
【００４３】
フロントカバー３１は、切欠き５１と、板材５２とをさらに有している。切欠き５１は、開口部３３の縁から凹んだ部分である。なお、切欠き５１は、フロントカバー３１の外周縁から凹んだ部分であっても良い。切欠き５１は、走査線配線４３と接続配線４８との接続部分に対応する位置に設けられている。
【００４４】
図８は、フロントカバー３１の切欠き５１の周辺部を拡大して示す斜視図である。図８に示すように、板材５２は、切欠き５１に係合することで、フロントカバー３１に略矩形状の挿通孔５４を形成する。タッチパネル制御基板４５の接続配線４８は、挿通孔５４を通過する。このため、タッチパネル制御基板４５は、ディスプレイ筺体２３の内部に位置する。
【００４５】
図６に示すように、タッチパネル制御基板４５の少なくとも一部は、接続配線４８が折り曲げられ、ＬＣＤ２５とディスプレイ部１１の上端部１１ｂとの間に配置される。なお、タッチパネル制御基板４５は、前記高さ方向においてＬＣＤ２５とディスプレイ部１１の上端部１１ｂとの間にあれば良い。すなわち、タッチパネル制御基板４５は、例えば前記厚さ方向においてＬＣＤ２５とディスプレイ部１１の上端部１１ｂとの間の領域から外れていても良い。
【００４６】
タッチパネル制御基板４５は、ＬＣＤ２５の右上方（図６においては左上方）に配置される。言い換えると、タッチパネル制御基板４５は、ディスプレイ部１１の左端部１１ｄの方よりも、右端部１１ｃの方に近く配置される。
【００４７】
ディスプレイ部１１は、カメラモジュール５７をさらに有する。カメラモジュール５７は、電子部品の一例である。カメラモジュール５７は、ＬＣＤ２５とディスプレイ部１１の上端部１１ｂとの間に配置される。カメラモジュール５７は、ディスプレイ部１１の前記幅方向の略中央部に位置し、タッチパネル制御基板４５と並ぶ。言い換えると、タッチパネル制御基板４５とカメラモジュール５７とは、ＬＣＤ２５とディスプレイ部１１の上端部１１ｂとの間に形成される空間に配置されている。
【００４８】
図９は、ディスプレイ部１１の露出口３４の周辺を拡大して示す斜視図である。図９に示すように、フロントカバー３１は、取付片６１と、複数の片部６２とを有している。取付片６１および片部６２は、支持部または舌片とも称され得る。
【００４９】
取付片６１と片部６２とは、露出口３４の上縁３４ａから、露出口３４内に張り出した板状の部分である。言い換えると、取付片６１と片部６２とは、露出口３４を部分的に塞いでいる。なお、取付片６１と片部６２とは、露出口３４の下縁３４ｂから張り出しても良い。露出口３４の上縁３４ａは、タッチパネル２６に隣接している。露出口３４の下縁３４ｂは、上縁３４ａの反対側に位置するとともに、ディスプレイ部１１の下端部１１ａに隣接している。
【００５０】
取付片６１と複数の片部６２とは、ディスプレイ部１１の前記幅方向に並んでいる。取付片６１は、二つの片部６２の間に位置する。取付片６１は、ディスプレイ部１１の右端部１１ｃの方よりも、左端部１１ｄの方に近く配置されている。
【００５１】
図５に示すように、取付片６１は、第１の壁部６１ａと、第２の壁部６１ｂとを有している。第１の壁部６１ａは、露出口３４の上縁３４ａから、ディスプレイカバー２８の前面２８ａと平行に延びる部分である。第２の壁部６１ｂは、第１の壁部６１ａの先端から、ディスプレイカバー２８の前面２８ａに対し略直交する方向に延びる部分である。第２の壁部６１ｂは、ディスプレイカバー２８の外側に向かって突出している。言い換えると、第２の壁部６１ｂは、ヒンジキャップ２９の突出方向に向いている。このように、取付片６１は、Ｌ字状に形成されている。
【００５２】
取付片６１の第２の壁部６１ｂは、取付面６５を有している。取付面６５は、ディスプレイ部１１の上端部１１ｂに向く面である。取付面６５に、中継基板６７が取り付けられている。中継基板６７は、例えばプリント回路板である。
【００５３】
中継基板６７に、中継コネクタ６８が実装されている。中継コネクタ６８は、第２のコネクタの一例である。中継コネクタ６８は、挿入口６９を有している。挿入口６９は、ディスプレイカバー２８の外側に向いている。言い換えると、挿入口６９は、ヒンジキャップ２９の突出方向に向いている。
【００５４】
図３ないし図６に示すように、ポータブルコンピュータ１は、配線部７１をさらに有している。配線部７１は、本体部１０とディスプレイ部１１とに亘って設けられている。配線部７１は、マザーボード２１とＬＣＤ制御基板３９とを接続するとともに、マザーボード２１とタッチパネル制御基板４５とを接続している。
【００５５】
配線部７１は、同軸ケーブル７２と、フレキシブルプリント配線板（ＦＰＣ）７３と、前述の中継コネクタ６８とを有している。同軸ケーブル７２は、第１の配線材の一例である。ＦＰＣ７３は、第２の配線材の一例である。
【００５６】
同軸ケーブル７２は、第１の端部７２ａ（図３に示す）と、第２の端部７２ｂ（図６に示す）と、第３の端部７２ｃ（図９に部分的に示す）とを有している。言い換えると、同軸ケーブル７２は、二又に分かれている。図３に示すように、同軸ケーブル７２の第１の端部７２ａは、マザーボード２１に接続されている。
【００５７】
同軸ケーブル７２は、一方のヒンジ部１２の、第１および第２の筒部１２ｃ，１２ｄの中を通って配線される。このため、同軸ケーブル７２は、本体部１０とディスプレイ部１１とに亘って配線される。
【００５８】
ヒンジ部１２を通ってディスプレイ部１１に入った同軸ケーブル７２は、露出口３４を通ってディスプレイ筺体２３の中に入る。同軸ケーブル７２は、リアカバー３２と複数の片部６２との間を通り、ディスプレイ部１１の前記幅方向に延びている。
【００５９】
図６に示すように、同軸ケーブル７２の第２の端部７２ｂは、ＬＣＤ制御基板３９に接続されている。例えば、第２の端部７２ｂは、ＬＣＤ制御基板３９に実装されたコネクタに挿入される。マザーボード２１は、同軸ケーブル７２を介してＬＣＤ制御基板３９に信号を入力する。ＬＣＤ制御基板３９は、当該信号に基づいて、ＬＣＤ２５の表示面３７に画像を表示させる。
【００６０】
図９に部分的に示すように、同軸ケーブル７２の第３の端部７２ｃは、中継基板６７に接続されている。第３の端部７２ｃは、中継基板６７に形成された配線パターンを介して、中継コネクタ６８に接続される。
【００６１】
図１０は、タッチパネル制御基板４５およびＦＰＣ７３の一部を示す平面図である。図１０に示すように、タッチパネル制御基板４５は、接続コネクタ７５を有している。接続コネクタ７５は、第１のコネクタの一例である。接続コネクタ７５は、一対の係止ピン７６を有している。係止ピン７６は、接続コネクタ７５の厚さ方向に移動可能である。
【００６２】
ＦＰＣ７３は、第１の接続部７７と、一対の係止部７８とを有している。第１の接続部７７は、ＦＰＣ７３の一方の端部である。一対の係止部７８は、第１の接続部７７に設けられた切欠きであり、ロック部とも称され得る。
【００６３】
第１の接続部７７は、接続コネクタ７５に挿入される。これにより、ＦＰＣ７３は、タッチパネル制御基板４５に接続される。
【００６４】
接続コネクタ７５に第１の接続部７７が挿入された後、係止部７８に係止ピン７６が係合される。言い換えると、係止部７８が係止ピン７６によって係止される。なお、係止ピン７６は、接続コネクタ７５に第１の接続部７７が挿入される前には、第１の接続部７７が挿入される接続コネクタ７５のスロットから退避している。
【００６５】
係止ピン７６が係止部７８に係合することにより、第１の接続部７７が、接続コネクタ７５から抜けることが防がれる。なお、接続コネクタ７５に係止される係止部７８はこれに限らず、例えば、係止ピン７６が挿入される孔であっても良い。
【００６６】
図６に示すように、ＦＰＣ７３は、ＬＣＤ２５の背面３８の上を通る。言い換えると、ＦＰＣ７３は、ＬＣＤ２５の背面３８と、リアカバー３２との間を通る。なお、背面３８の上を通る、とは、ＦＰＣ７３が背面３８に沿って配線されることを意味する。ＦＰＣ７３は、背面３８に接触していても、背面３８から離れていても良い。
【００６７】
ＦＰＣ７３は、第１の直線部７３ａと、斜行部７３ｂと、第２の直線部７３ｃとを有している。第１の直線部７３ａは、第１の接続部７７から、前記高さ方向に延びる部分である。
【００６８】
斜行部７３ｂは、第１の直線部７３ａに対して斜めに延びる部分である。斜行部７３ｂは、第１の直線部７３ａの端部から左下方に（図６においては右下方に）向かって延びている。斜行部７３ｂは、前記高さ方向におけるディスプレイ部１１の中心を横切って配線される。さらに、斜行部７３ｂは、前記幅方向におけるディスプレイ部１１の中心を横切って配線される。
【００６９】
第２の直線部７３ｃは、斜行部７３ｂの端部から延びる部分である。第２の直線部７３ｃは、第１の直線部７３ａと平行に延びている。図５に示すように、第２の直線部７３ｃは、露出口３４を通過して、ディスプレイカバー２８の外に出る。
【００７０】
ＦＰＣ７３は、第２の接続部８１を有している。第２の接続部８１は、ＦＰＣ７３の他方の端部であり、第２の直線部７３ｃの端部に設けられている。第２の接続部８１は、中継コネクタ６８の挿入口６９に挿入される。このため、ＦＰＣ７３の第２の直線部７３ｃは、取付片６１の下方を回り込むように曲げられている。
【００７１】
第２の接続部８１は、係止部７８と同じ切欠きを有している。一方、中継コネクタ６８は、係止ピン７６と同じピンを有している。このため、第２の接続部８１は、中継コネクタ６８に係止される。
【００７２】
第２の接続部８１が中継コネクタ６８に挿入されることにより、マザーボード２１は、同軸ケーブル７２、中継基板６７、中継コネクタ６８、ＦＰＣ７３を介して、タッチパネル制御基板４５に接続される。また、同軸ケーブル７２は、中継基板６７および中継コネクタ６８を介して、マザーボード２１と、ＦＰＣ７３の第２の接続部８１とを接続する。
【００７３】
上述のように、同軸ケーブル７２は中継コネクタ６８に接続され、ＦＰＣ７３は中継コネクタ６８の挿入口６９に挿入される。すなわち、中継コネクタ６８は、第１の配線材と第２の配線材との接続部分の一例である。なお、同軸ケーブル７２と、ＦＰＣ７３とは、直交する方向に延びている。中継コネクタ６８は、前記高さ方向において、ＬＣＤ２５と、ディスプレイ部１１の下端部１１ａとの間に位置している。したがって、ＦＰＣ７３は、ＬＣＤ２５と、ディスプレイ部１１の下端部１１ａとの間で同軸ケーブル７２に接続されている。同軸ケーブル７２は、例えば半田によって、ＦＰＣ７３に直接接続されても良い。
【００７４】
中継コネクタ６８は、露出口３４の上縁３４ａから張り出す取付片６１に取り付けられている。ＦＰＣ７３の第２の直線部７３ｃは、露出口３４を通ってディスプレイカバー２８の外に出ている。このように、露出口３４は、ＦＰＣ７３と同軸ケーブル７２との接続部分（中継コネクタ６８）を露出させている。
【００７５】
ディスプレイ部１１は、絶縁部材８４をさらに有する。なお、図９は、絶縁部材８４を二点鎖線で示す。絶縁部材８４は、弾性および絶縁性を有する矩形状のシートである。なお、絶縁部材８４はこれに限らない。
【００７６】
図５に示すように、絶縁部材８４の第１の端部８４ａは、取付片６１の第２の壁部６１ｂと、中継基板６７との間に介在する。絶縁部材８４の第１の端部８４ａは、例えば接着剤によって、取付片６１の第２の壁部６１ｂに取り付けられる。言い換えると、絶縁部材８４の一方の端部は、ディスプレイ筺体２３に固定されている。中継基板６７は、例えば両面テープによって、絶縁部材８４の第１の端部８４ａに取り付けられる。言い換えると、中継基板６７は、絶縁部材８４を介して取付片６１に取り付けられている。
【００７７】
絶縁部材８４は、取付片６１の第１の壁部６１ａに沿って延びるとともに、中継基板６７、中継コネクタ６８、およびＦＰＣ７３の第２の直線部７３ｃの周りを回るように曲げられている。これにより、図９に示すように、絶縁部材８４は、中継基板６７、中継コネクタ６８、およびＦＰＣ７３の第２の直線部７３ｃを覆う。言い換えると、絶縁部材８４は、ＦＰＣ７３と同軸ケーブル７２との接続部分を覆っている。
【００７８】
図５に示すように、曲げられた絶縁部材８４は、露出口３４を通って、ディスプレイカバー２８の中に入る。絶縁部材８４は、ＦＰＣ７３と、ディスプレイ筺体２３の内面２３ａとの間を通る。
【００７９】
絶縁部材８４の第２の端部８４ｂは、ディスプレイ筺体２３の内面２３ａに弾性的に当接する。第２の端部８４ｂは、絶縁部材８４の第１の端部８４ａの反対側に位置する。絶縁部材８４は、例えば、絶縁部材８４の第２の端部８４ｂと、ディスプレイ筺体２３の内面２３ａとの間の摩擦により、曲げられたまま保持される。なお、ディスプレイ筺体２３は、例えば、絶縁部材８４の第２の端部８４ｂを摩擦によって係止するゴム、第２の端部８４ｂを挟持する部材、または第２の端部８４ｂに設けられた孔に係合する突起のような部材を有しても良い。
【００８０】
同軸ケーブル７２とＦＰＣ７３との接続部分と、当該接続部分を覆う絶縁部材８４とは、ヒンジキャップ２９に覆われている。言い換えると、同軸ケーブル７２とＦＰＣ７３との接続部分と、当該接続部分を覆う絶縁部材８４とは、ヒンジキャップ２９に収容されている。ヒンジキャップ２９は、さらに、ヒンジ部１２，１３を覆う。
【００８１】
図３に示すように、ポータブルコンピュータ１は、接続ケーブル９１を有している。接続ケーブル９１は、例えば同軸ケーブルである。接続ケーブル９１の一方の端部は、マザーボード２１に接続されている。
【００８２】
接続ケーブル９１は、ヒンジ部１３を通って、本体部１０とディスプレイ部１１とに亘って配線されている。図４に示すように、接続ケーブル９１は、ディスプレイ部１１に設けられた二つのアンテナ９２に接続されている。アンテナ９２は、前記高さ方向において、ＬＣＤ２５と、ディスプレイ部１１の下端部１１ａとの間に位置している。
【００８３】
図６に示すように、カメラモジュール５７に、部品配線９４が接続されている。部品配線９４は、例えばフレキシブルプリント配線板である。部品配線９４は、ＬＣＤ２５の背面３８の上を通る。部品配線９４は、ＬＣＤ２５の背面３８の上において、ＦＰＣ７３と交差する。部品配線９４は、接続ケーブル９１に接続される。
【００８４】
上記実施形態のポータブルコンピュータ１によれば、ＬＣＤ制御基板３９がＬＣＤ２５と、ディスプレイ部１１の下端部１１ａと、の間に位置する。一方でタッチパネル制御基板４５がＬＣＤ２５と、ディスプレイ部１１の上端部１１ｂと、の間に位置する。ＬＣＤ２５とディスプレイ部１１の上端部１１ｂとの間は、カメラモジュール５７のような種々の部品が配置されることがあり、タッチパネル制御基板４５はこれらの部品と、ディスプレイ部１１の前記幅方向に並べて配置できる。
【００８５】
また、ＬＣＤ２５と、ディスプレイ部１１の下端部１１ａとの間は、ヒンジ部１２，１３、ＬＣＤ制御基板３９、同軸ケーブル７２、および接続ケーブル９１のような、種々の部品が配置される。このため、タッチパネル制御基板４５をＬＣＤ２５と、ディスプレイ部１１の下端部１１ａと、の間に配置しようとすれば、このスペースを大きくすることになり、ポータブルコンピュータ１の大型化につながり得る。
【００８６】
上記のように、タッチパネル制御基板４５をディスプレイ部１１の上端部１１ｂ周辺に配置することで、ディスプレイ部１１の下端部１１ａ周辺に配置するよりも、ディスプレイ部１１の大きさ（長さ）を小さくすることができる。また、タッチパネル制御基板４５を、ＬＣＤ２５とその厚さ方向に重ねるよりも、ディスプレイ部１１を薄くできる。したがって、ポータブルコンピュータ１を小型化できる。
【００８７】
さらに、ＬＣＤ２５と下端部１１ａとの間にＬＣＤ制御基板３９を配置し、そしてＬＣＤ２５と上端部１１ｂとの間にタッチパネル制御基板４５を配置することで、ＬＣＤ２５と下端部１１ａとの間の距離と、ＬＣＤ２５と上端部１１ｂとの間の距離とを同じくらいにすることができ、ポータブルコンピュータ１の美観が向上する。
【００８８】
ＦＰＣ７３は、ＬＣＤ２５とディスプレイ部１１の右端部１１ｃまたは左端部１１ｄとの間を回り込まず、ＬＣＤ２５の背面３８の上を通る。これにより、ディスプレイ部１１の幅が大きくなることを抑制でき、ポータブルコンピュータ１を小型化できる。さらに、配線部７１を短くすることができる。言い換えると、ＦＰＣ７３は、接続コネクタ７５と中継コネクタ６８との間の最短距離を通ることができる。配線部７１の抵抗によって電圧の低下が生じたり、配線部７１が伝送する信号にノイズが混じったりすることを抑制できる。
【００８９】
配線部７１のうち、ＦＰＣ７３がＬＣＤ２５の背面３８の上を通る。このため、配線部７１の一部がＬＣＤ２５の背面３８の上を通るように設けられたとしても、ディスプレイ部１１の厚さが増えることを抑制できる。したがって、ポータブルコンピュータ１を小型化できる。
【００９０】
ＦＰＣ７３の第１の接続部７７に、接続コネクタ７５に係止される係止部７８が設けられる。このため、例えばＦＰＣ７３をテープ等によって固定せずとも、ＦＰＣ７３が接続コネクタ７５から抜けることが抑制できる。言い換えると、上記テープのようなＦＰＣ７３を固定する部材が不要となり、当該部材によってポータブルコンピュータ１が大型化することを抑制できる。
【００９１】
絶縁部材８４が、同軸ケーブル７２とＦＰＣ７３との接続部分を覆う。これにより、ディスプレイ筺体２３の内部に静電気が侵入したとしても、当該静電気が同軸ケーブル７２またはＦＰＣ７３に伝わり、マザーボード２１、ＬＣＤ制御基板３９、およびタッチパネル制御基板４５を損傷させることを抑制できる。
【００９２】
絶縁部材８４は、弾性を有するシート状に形成される。絶縁部材８４の第１の端部８４ａは取付片６１に固定されるが、第２の端部８４ｂはディスプレイ筐体２３の内面２３ａに弾性的に当接する。これにより、絶縁部材８４によって中継コネクタ６８を覆うことができるとともに、必要に応じて容易に絶縁部材８４を除去して中継コネクタ６８を露出させることができる。これにより、ポータブルコンピュータ１の製造性および保守性が向上する。
【００９３】
同軸ケーブル７２とＦＰＣ７３との接続部分は、露出口３４によって露出される。このため、同軸ケーブル７２とＦＰＣ７３とを接続する作業が容易になる。さらに、当該接続部分が絶縁部材８４によって覆われることで、ディスプレイカバー２８とヒンジキャップ２９との間の隙間を越えて侵入する静電気が、配線部７１を通じてマザーボード２１、ＬＣＤ制御基板３９、およびタッチパネル制御基板４５を損傷することを抑制できる。したがって、ポータブルコンピュータ１の信頼性が向上する。
【００９４】
中継コネクタ６８の挿入口６９は、ヒンジキャップ２９の突出方向を向く。このため、中継コネクタ６８の挿入口６９は、ディスプレイカバー２８の外部に向く。したがって、ＦＰＣ７３の第２の接続部８１を、中継コネクタ６８の挿入口６９に挿入しやすくなり、ポータブルコンピュータ１の製造性が向上する。
【００９５】
ＦＰＣ７３は、ＬＣＤ２５の背面３８の上を通るとともに、ディスプレイカバー２８の前面２８ａから突出するヒンジキャップ２９の突出方向に向く中継コネクタ６８の挿入口６９に挿入される。このため、ＦＰＣ７３の第２の直線部７３ｃは大きく回り込むように配線されることとなり、ＦＰＣ７３が曲げられる部分の曲率半径が大きくなる。したがって、曲げられることによるＦＰＣ７３への負担が軽減され、ＦＰＣ７３が断線することが抑制される。
【００９６】
ＬＣＤ２５とディスプレイ部１１の上端部１１ｂとの間に、タッチパネル制御基板４５と、カメラモジュール５７とが並ぶ。ＬＣＤ２５とディスプレイ部１１の上端部１１ｂとの間にこれらの複数の部品を配置することで、ディスプレイ部１１の長さが増加することが抑制され、ポータブルコンピュータ１を小型化できる。
【００９７】
以上述べた少なくとも一つの電子機器によれば、第２の基板がディスプレイと第２の部分の第１の端部との間にあり、第３の基板が前記ディスプレイと前記第２の部分の第２の端部との間にある。これにより、電子機器を小型化し得る。
【００９８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００９９】
例えば、上記実施形態において、配線部７１はヒンジ部１２を通って配線されている。配線部７１はこれに限らず、本体部１０およびディスプレイ部１１の他の場所を通ることで、本体部１０およびディスプレイ部１１に亘って配線されても良い。
【符号の説明】
【０１００】
１…ポータブルコンピュータ、１０…本体部、１１…ディスプレイ部、１１ａ…下端部、１１ｂ…上端部、１２…ヒンジ部、２１…マザーボード、２３…ディスプレイ筺体、２３ａ…内面、２５…液晶ディスプレイ（ＬＣＤ）、２６…タッチパネル、２８…ディスプレイカバー、２８ａ…前面、２９…ヒンジキャップ、３３…開口部、３４…露出口、３７…表示面、３８…背面、３９…ＬＣＤ制御基板、４５…タッチパネル制御基板、５７…カメラモジュール、６８…中継コネクタ、６９…挿入口、７１…配線部、７２…同軸ケーブル、７３…フレキシブルプリント配線板（ＦＰＣ）、７５…接続コネクタ、７７…第１の接続部、７８…係止部、８４…絶縁部材、８４ａ…第１の端部、８４ｂ…第２の端部。
【図１】
2014206814.tif 000003
【図２】
2014206814.tif 000004
【図３】
2014206814.tif 000005
【図４】
2014206814.tif 000006
【図５】
2014206814.tif 000007
【図６】
2014206814.tif 000008
【図７】
2014206814.tif 000009
【図８】
2014206814.tif 000010
【図９】
2014206814.tif 000011
【図１０】
2014206814.tif 000012